(57)【要約】【課題】  それぞれのログインＩＤの使用者がよく使う初期設定にでき、毎回設定しなおすこともなく、簡便な操作が可能な画像形成複合機の提供。【解決手段】  ネットワークに接続するネットワーク制御手段と、ネットワーク制御手段を介して受け取ったウェブブラウザデータを制御するウェブブラウザ制御手段と、表示制御手段と、表示制御手段からの表示データを表示する表示装置と、入力装置と、入力装置からの入力データを制御する入力制御手段と、画像をスキャンするスキャナ装置と、画像をプリントするプリンタ装置と、ＩＤを使用してログインする各ユーザ別の初期設定データが格納されているユーザ別初期設定データベースと、それらをコントロールするコントローラを備えた画像形成複合機において、ウェブブラウザ手段を使用する時はユーザ別にログインして、該ユーザに対応するユーザ別のウェブブラウザ初期設定に従ってウェブブラウザの操作を開始することを特徴とする画像形成複合機。【選択図】        図１
2007065726.tif 000002
【特許請求の範囲】
【請求項１】
ネットワークに接続するネットワーク制御手段と、
ネットワーク制御手段を介して受け取ったウェブブラウザデータを制御するウェブブラウザ制御手段と、
表示制御手段と、表示制御手段からの表示データを表示する表示装置と、
入力装置と、入力装置からの入力データを制御する入力制御手段と、
画像をスキャンするスキャナ装置と、画像をプリントするプリンタ装置と、
ＩＤを使用してログインする各ユーザ別の初期設定データが格納されているユーザ別初期設定データベースと、
それらをコントロールするコントローラを備えた画像形成複合機において、
ウェブブラウザ手段を使用する時はユーザ別にログインして、該ユーザに対応するユーザ別のウェブブラウザ初期設定に従ってウェブブラウザの操作を開始することを特徴とする画像形成複合機。
【発明の詳細な説明】
【技術分野】
【０００１】
本発明は、ウェブブラウザを内蔵し、操作部の表示部にウェブブラウザを表示することができる画像形成複合機に関する技術である。
【背景技術】
【０００２】
従来より、ウェブブラウザを搭載した複合機が知られている（例えば、下記特許文献１参照。）。
【０００３】
従来は、ウェブブラウザを操作する初期設定は機器毎に定まっていた。
【特許文献１】特開平１１−１３４１２６号公報
【発明の開示】
【発明が解決しようとする課題】
【０００４】
そのため、ログインするユーザが異なっても同じデフォルトの初期設定から操作を開始しなければならず、ユーザ毎に使い易い設定から開始することができなかった。
【０００５】
本発明は、上述の問題点に鑑みてなされたものであって、それぞれのログインＩＤの使用者がよく使う初期設定にでき、毎回設定しなおすこともなく、簡便な操作が可能な画像形成複合機の提供を目的とする。
【課題を解決するための手段】
【０００６】
本発明は、上述の目的を達成するため、画像形成複合機を次に示すとおりのものとする。
【０００７】
ネットワークに接続するネットワーク制御手段と、ネットワーク制御手段を介して受け取ったウェブブラウザデータを制御するウェブブラウザ制御手段と、表示制御手段とを備える。また、表示制御手段からの表示データを表示する表示装置と、入力装置と、入力装置からの入力データを制御する入力制御手段と、画像をスキャンするスキャナ装置と、画像をプリントするプリンタ装置と、ＩＤを使用してログインする各ユーザ別の初期設定データが格納されているユーザ別初期設定データベースと、それらをコントロールするコントローラを備える。これらの構成を有する画像形成複合機において、ウェブブラウザ手段を使用する時はユーザ別にログインして、そのユーザに対応するユーザ別のウェブブラウザ初期設定に従ってウェブブラウザの操作を開始する。
【発明の効果】
【０００８】
各ログインＩＤ毎にウェブブラウザの設定が別々にできるので、それぞれのログインＩＤの使用者がよく使う初期設定にでき、毎回設定しなおすこともなく、簡便な操作が可能となる。
【発明を実施するための最良の形態】
【０００９】
図１は本発明の概要を示すブロック図である。
【００１０】
複合機１０００は、コントローラ１０１０、ネットワーク接続手段１０２０、ウェブブラウザ表示手段１０３０、表示制御手段１０４０、表示装置１０５０、入力制御手段１０６０、入力装置１０７０、ユーザ別初期設定データベース１０８０、スキャナ装置１０９０、プリンタ装置１１００、を備えている。
【００１１】
コントローラ１０１０は複合機１０００を制御する制御の中心である。
【００１２】
ネットワーク接続手段１０２０はネットワーク３０００に接続し、外部との通信データのやり取りを行う。
【００１３】
ウェブブラウザ表示手段１０３０は、ウェブサーバ２０００から発信されたウェブブラウザのデータをネットワーク３０００、ネットワーク接続手段１０２０を介して受け取り、ウェブブラウザの表示データの作成を行う。
【００１４】
表示制御手段１０４０は、ウェブブラウザ表示手段１０３０からの表示データを受け取り、表示装置１０５０で表示したり、複合機１０００の操作部として操作手段を表示したりするところである。
【００１５】
表示装置１０５０は表示制御手段１０４０の指示に従い、表示するところで、ＬＣＤ、ＣＲＴなどが使用される。
【００１６】
入力制御手段１０６０は入力装置１０７０からの入力データを制御するところで、データをコントローラ１０１０に送る。
【００１７】
入力装置１０７０はユーザがデータを入力するところで、キーやタッチパネルなどが使用される。
【００１８】
ユーザ別初期設定データベース１０８０は、登録されたＩＤ別にブラウザの初期設定が登録されたデータベースである。
【００１９】
ユーザ別初期設定データベース１０８０の詳細については、図３を用いて後述する。
【００２０】
スキャナ装置１０９０は、画像をスキャンし、スキャナデータを作成する装置である。
【００２１】
プリンタ装置１１００は、画像をプリントし、プリント出力を作成する装置である。
【００２２】
図２は本発明の動作を示すフローチャートである。まず、Ｓ１００からスタートする。
【００２３】
Ｓ１１０で入力装置１０７０からＩＤが入力されたかをチェックする。まだ入力されていない場合は、Ｓ１１０に戻り、入力されるまで待つ。入力された場合は、Ｓ１２０に進む。
【００２４】
Ｓ１２０ではユーザ別初期設定データベース１０８０を、入力されたＩＤでサーチする。
【００２５】
次にＳ１３０に進み、登録されているＩＤと一致しているかをチェックする。一致しなかった場合は、それ以降の処理を行わないでＳ１１０に戻る。一致した場合は、Ｓ１４０に進む。
【００２６】
Ｓ１４０では、ユーザ別初期設定データベースに入力されたＩＤに対応するウェブブラウザ初期設定データの登録があるかをチェックする。登録がある場合は、Ｓ１５０に進む。
【００２７】
Ｓ１５０では、登録されているウェブブラウザ初期設定データをブラウザ表示手段に転送し、そのデータを初期データとする。登録がなかった場合は、Ｓ１６０に進む。
【００２８】
Ｓ１６０では、デフォルトのウェブブラウザ初期設定データをブラウザ表示手段に転送し、そのデータを初期データとする。Ｓ１５０、Ｓ１６０とも次にＳ１７０に進む。
【００２９】
Ｓ１７０ではウェブブラウザ表示を行うかどうかをチェックする。表示する場合は、Ｓ１８０に進む。表示しない場合は、Ｓ９９９に進み処理を終了する。
【００３０】
Ｓ１８０ではウェブブラウザ表示をする。
【００３１】
次にＳ９９９に進み処理を終了する。
【００３２】
図３は、ユーザ別初期データベースの詳細である。
【００３３】
ユーザ番号にそれぞれのログインＩＤ、それぞれのウェブブラウザ初期設定データが登録されている。
【００３４】
ＩＤでサーチすると、ログインＩＤの項目を順にチェックしていく。一致すれば登録されていることになり、最後まで一致しない場合は登録がないことになる。
【００３５】
例えば、ログインＩＤが「１２３４」と入力された場合、ログインＩＤの欄を順にチェックしていくと、ユーザ１の欄と一致するので、ログインＩＤ「１２３４」は登録済みであると判断される。また、ユーザ１のウェブブラウザ初期設定データが「初期ＨＰ＝・・・・」と登録されているので、そのデータがウェブブラウザ表示手段に転送され、初期ＨＰ（ホームページ）が設定される。
【００３６】
図４は、表示装置に表示されたウェブブラウザの実例である。複合機であるので、スキャナ装置１０９０、プリンタ装置１１００を用いてコピーなども行えるため、切り替え用のタブが用意してあって、機能の変更が可能である。
【図面の簡単な説明】
【００３７】
【図１】発明の概要を示すブロック図
【図２】発明の処理フローを示すフローチャート
【図３】ユーザ別初期設定データベースの詳細を説明する図
【図４】ウェブブラウザの表示詳細を表す図
【符号の説明】
【００３８】
１０００  複合機
１０１０  コントローラ
１０２０  ネットワーク接続手段
１０３０  ウェブブラウザ表示手段
１０４０  表示制御手段
１０５０  表示装置
１０６０  入力制御手段
１０７０  入力装置
１０８０  ユーザ別初期設定データベース
１０９０  スキャナ装置
１１００  プリンタ装置
２０００  ウェブサーバ
３０００  ネットワーク
【図１】
2007065726.tif 000003
【図２】
2007065726.tif 000004
【図３】
2007065726.tif 000005
【図４】
2007065726.tif 000006